(57)【特許請求の範囲】
【請求項１】
プレーヤからのオーディオ信号が供給されるコードと、ヘッドホンとの間に接続される信号ラインと、
放送を受信して得られるオーディオ信号を上記信号ラインに供給するチューナ回路と、
上記コードを通じて上記プレーヤに接続され、このプレーヤを遠隔操作するための複数の操作スイッチと、
内蔵電池と、
電源スイッチと、
上記内蔵電池と、上記チューナ回路の上記電源ラインとの間に接続された第１のスイッチ回路と、
上記複数の操作スイッチのうちの停止スイッチと並列に接続される第２のスイッチ回路と
を有し、
上記コードが上記プレーヤに接続され、かつ、上記電源スイッチがオフのときには、上記第１および第２のスイッチ回路をオフにして上記プレーヤから上記コードを通じて上記信号ラインに供給されるオーディオ信号を上記ヘッドホンに供給し、
上記コードが上記プレーヤに接続され、かつ、上記電源スイッチがオンのときには、上記第１のスイッチ回路をオフにし、
上記第２のスイッチ回路をオンにして上記停止スイッチを操作したときと等価な遠隔操作の信号を上記コードを通じて上記プレーヤに供給するとともに、
上記コードを通じて上記プレーヤから供給される上記直流電圧を、上記電源スイッチを通じて上記チューナ回路にその動作電圧として供給して上記チューナ回路から上記オーディオ信号を取り出し、
この取り出したオーディオ信号を上記ヘッドホンに供給し、
上記コードが上記プレーヤに接続されず、かつ、上記電源スイッチがオフのときには、上記第１および第２のスイッチ回路をオフにし、
上記コードが上記プレーヤに接続されず、かつ、上記電源スイッチがオンのときには、上記第１のスイッチ回路をオンにして内蔵電池の電圧を上記チューナ回路にその動作電圧として供給することにより、上記チューナ回路からオーディオ信号を取り出し、
この取り出したオーディオ信号を上記ヘッドホンに供給する
ようにしたリモコン操作機。
【請求項２】
請求項１に記載のリモコン操作機において、
上記ヘッドホンのコードによりＦＭ放送波を受信し、
この受信信号を上記チューナ回路に供給する
ようにしたリモコン操作機。
【発明の詳細な説明】
【０００１】
【発明の属する技術分野】
この発明は、リモコン操作機に関する。
【０００２】
【従来の技術】
いわゆるヘッドホンステレオ、すなわち、ヘッドホン式のステレオカセットプレーヤには、一般に、ヘッドホンコードの途中にリモコン（遠隔操作）の操作部が設けられ、これによりプレーヤをリモコンできるようにされている。
【０００３】
図４および図５は、そのようなヘッドホンステレオおよびリモコン操作部の信号系の一例を示し、符号１はそのプレーヤ、符号３はヘッドホン、符号４はリモコン操作部である。
【０００４】
そして、プレーヤ１は、磁気テープ２、再生回路１０、テープ走行機構２１、システム制御用のマイクロコンピュータ２２、各種の操作キー２３、動作モードなどを表示するＬＣＤ２４、電源回路２５などを有する。そして、再生回路１０は、左および右チャンネルの再生ヘッド１１Ｌ、１１Ｒ、再生イコライザアンプ１２Ｌ、１２Ｒ、音量調整用の可変抵抗器１３Ｌ、１３Ｒ、出力アンプ１４Ｌ、１４Ｒ、ヘッドホンジャック１５を有する。
【０００５】
このジャック１５は、オーディオ信号の出力に使用されるだけでなく、リモコン操作部４からのリモコン信号の受信などにも使用されるものである。このため、後述するように７接点（７極）とされ、左および右チャンネルのオーディオ接点Ａ、Ｂ、オーディオ用の接地接点Ｃ、直流電圧の出力用接点Ｄ、リモコン用接点Ｅ、表示用接点Ｆ、制御用の接地接点Ｇを有する。
【０００６】
また、テープ走行機構２１は、図示はしないが、キャプスタン、ピンチローラ、キャプスタンモータ、プランジャなどを有し、プランジャによりレバーなどをトリガするとともに、キャプスタンモータの回転力を利用してプレーヤ１のメカニカルな状態を、停止モード、再生モードなどに制御するものである。
【０００７】
さらに、電源回路２５は、図示はしないが、ＤＣ−ＤＣコンバータなどを有し、例えば１本の単３電池の出力電圧からプレーヤ１およびリモコン操作部４に必要な各種の直流電圧を形成してそれぞれに供給するものである。なお、抵抗器Ｒ21は、分圧用である。
【０００８】
さらに、ヘッドホン３は、プラグ３５と、ヘッドホンコード３６と、左および右チャンネルの音響ユニット（信号／音響変換ユニット）３Ｌ、３Ｒとを有する。この場合、プラグ３５は、リモコン操作部４を使用しないで、ヘッドホン３を使用するとき、ジャック１５に差し込まれるものであり、ジャック１５の接点Ａ〜Ｃにそれぞれ接続される接点Ａ〜Ｃを有し、ヘッドホンコード３６を通じて音響ユニット３Ｌ、３Ｒに接続されている。
【０００９】
また、リモコン操作部４は、これを使用するとき、プレーヤ１と、ヘッドホン３との間に挿入されるように構成されているもので、プラグ４５と、コード４６とを有する。そして、プラグ４５は、リモコン操作部４の使用時、ジャック１５に差し込まれるものであり、ジャック１５の接点Ａ〜Ｇにそれぞれ接続される接点Ａ〜Ｇを有し、コード４６を通じてリモコン操作部４の内部に接続されている。
【００１０】
さらに、リモコン操作部４は、その内部に、音量調整用の可変抵抗器４１Ｌ、４１Ｒ、表示制御回路４２、動作モードなどを表示するＬＣＤ４３、プラグ３５の差し込まれるジャック４７を有している。さらに、リモコン操作部４には、操作キーとして停止キーＫST、再生キーＫPB、早送りキーＫFF、巻き戻しキーＫRWが設けられている。なお、これら操作キーＫST〜ＫRWは、ノンロックタイプの常開のプッシュスイッチにより構成されている。
【００１１】
このような構成において、リモコン操作部４を使用する場合には、プラグ４５をジャック１５に差し込み、プラグ３５をジャック４７に差し込む。そして、操作キー２３のうちの例えば再生キーを押すと、これがマイクロコンピュータ２２により検出され、マイクロコンピュータ２２により走行機構２１が制御されてプレーヤ１のメカニカルな動作モードが再生モードとされ、この結果、磁気テープ２が定速走行させられ、ヘッド１１Ｌ、１１Ｒによりテープ２から左及び右チャンネルのオーディオ信号Ｌ、Ｒが再生される。
【００１２】
そして、この信号Ｌ、Ｒが、再生イコライザアンプ１２Ｌ、１２Ｒ→可変抵抗器１３Ｌ、１３Ｒ→ヘッドホンアンプ１４Ｌ、１４Ｒ→ヘッドホンジャック１５の接点Ａ、Ｂ（およびＣ）→プラグ４５の接点Ａ、Ｂ（およびＣ）→コード４６→可変抵抗器４１Ｌ、４１Ｒ→ジャック４７の接点Ａ、Ｂ（およびＣ）→プラグ３５の接点Ａ、Ｂ（およびＣ）→ヘッドホンコード３６の信号ラインを通じて音響ユニット３Ｌ、３Ｒに供給される。
【００１３】
したがって、プレーヤ１で再生されたオーディオ信号Ｌ、Ｒの再生音を、ヘッドホン３により聴くことができる。なお、このとき、マイクロコンピュータ２２からＬＣＤ２４に所定の表示信号が供給され、ＬＣＤ２４にプレーヤ１の動作モードなどが表示される。
【００１４】
また、プレーヤ１の動作時には、電源回路２５から例えば３Ｖの直流電圧ＶDCが取り出され、この電圧ＶDCが、ジャック１５の接点Ｄ（およびＧ）→プラグ４５の接点Ｄ（およびＧ）→コード４６の電圧ラインを通じて制御回路４２にその動作電圧として供給される。さらに、マイクロコンピュータ２２から表示データDISPがシリアルに出力され、このデータDISPが、ジャック１５の接点Ｆ（およびＧ）→プラグ４５の接点Ｆ（およびＧ）→コード４６の信号ラインを通じて制御回路４２に供給されて表示信号に変換され、この表示信号がＬＣＤ４３に供給される。こうして、ＬＣＤ４３にプレーヤ１の動作モードなどが表示される。
【００１５】
さらに、操作キーＫST〜ＫRWのどれも押していないときには、これらはオフなので、ジャック１５の接点Ｅの電圧ＶRMは、抵抗器Ｒ21によりプルアップされて電圧ＶDCである。また、停止キーＫSTを押したときには、ジャック１５の接点Ｅは、プラグ４５およびコード４６を通じて接点Ｇ、すなわち、接地に接続されるので、電圧ＶRMは０となる。さらに、操作キーＫPB、ＫFF、ＫRWのどれかを押したときには、電圧ＶDCが、抵抗器Ｒ21と、抵抗器Ｒ41〜Ｒ43のうちの押されたキーに対応する１つあるいは複数の抵抗器とにより分圧され、その分圧電圧が電圧ＶRMとなる。
【００１６】
そして、電圧ＶRMがマイクロコンピュータ２２のアナログ入力ポート（内蔵のＡ／Ｄコンバータの入力端子）A/D に供給され、その電圧ＶRMから、キーＫST〜ＫRWが押されたかどうか、押されたとすれば、どの操作キーであるかが判別され、その判別結果にしたがってプレーヤ１の動作モードが、操作キー２３を操作した場合と同様に制御される。したがって、リモコン操作部４により、プレーヤ１をリモコンすることができる。
【００１７】
【発明が解決しようとする課題】
ところで、ヘッドホンステレオとして、プレーヤにチューナ回路を内蔵し、ＡＭ放送やＦＭ放送などを受信できるようにしたものがある。
【００１８】
ところが、プレーヤにチューナ回路を内蔵する場合には、ＡＭ放送を受信するためのバーアンテナが、メカシャーシやケースに近接するので、ＡＭの受信感度が低下してしまう。
【００１９】
さらに、マイクロコンピュータ、電源回路のＤＣ−ＤＣコンバータ、ＬＣＤをダイナミックドライブするための回路などにおいて生じる高周波成分が、バーアンテナにノイズとして飛び込んでしまい、受信品位を低下させてしまう。
【００２０】
また、一般にヘッドホンコードをＦＭ放送の受信アンテナとして使用しているが、リモコン操作部のためヘッドホンコードの長さをＦＭ放送波の波長に合わせることが困難であり、結果としてＦＭの受信感度が低下してしまう。
【００２１】
さらに、プレーヤは、テープ走行機構の構成および部品配置が優先し、その隙間に回路部品が配置される傾向にあるとともに、ＦＭアンテナ、すなわち、ヘッドホンコードの接続されるジャックからＦＭフロントエンド回路までのＦＭ信号ラインが、フレキシブルプリント基板などで引き回されるので、ヘッドホンコードの受信したＦＭ信号が減衰してしまい、この点からもＦＭの受信感度が低下してしまう。
【００２２】
また、プレーヤが、チューナ回路を内蔵しないものに比べ、大きくなってしまう。さらに、プレーヤを受信機として使用する場合、やはり単体の受信機より大きくなってしまう。
【００２３】
この発明は、以上のような問題点を解決しようとするものである。
【００２４】
【課題を解決するための手段】
このため、この発明においては、
プレーヤからのオーディオ信号が供給されるコードと、ヘッドホンとの間に接続される信号ラインと、
放送を受信して得られるオーディオ信号を上記信号ラインに供給するチューナ回路と、
上記コードを通じて上記プレーヤに接続され、このプレーヤを遠隔操作するための複数の操作スイッチと、
内蔵電池と、
電源スイッチと、
上記内蔵電池と、上記チューナ回路の上記電源ラインとの間に接続された第１のスイッチ回路と、
上記複数の操作スイッチのうちの停止スイッチと並列に接続される第２のスイッチ回路と
を有し、
上記コードが上記プレーヤに接続され、かつ、上記電源スイッチがオフのときには、上記第１および第２のスイッチ回路をオフにして上記プレーヤから上記コードを通じて上記信号ラインに供給されるオーディオ信号を上記ヘッドホンに供給し、
上記コードが上記プレーヤに接続され、かつ、上記電源スイッチがオンのときには、上記第１のスイッチ回路をオフにし、
上記第２のスイッチ回路をオンにして上記停止スイッチを操作したときと等価な遠隔操作の信号を上記コードを通じて上記プレーヤに供給するとともに、
上記コードを通じて上記プレーヤから供給される上記直流電圧を、上記電源スイッチを通じて上記チューナ回路にその動作電圧として供給して上記チューナ回路から上記オーディオ信号を取り出し、
この取り出したオーディオ信号を上記ヘッドホンに供給し、
上記コードが上記プレーヤに接続されず、かつ、上記電源スイッチがオフのときには、上記第１および第２のスイッチ回路をオフにし、
上記コードが上記プレーヤに接続されず、かつ、上記電源スイッチがオンのときには、上記第１のスイッチ回路をオンにして内蔵電池の電圧を上記チューナ回路にその動作電圧として供給することにより、上記チューナ回路からオーディオ信号を取り出し、
この取り出したオーディオ信号を上記ヘッドホンに供給する
ようにしたリモコン操作機
とするものである。
したがって、放送の受信時には、プレーヤからの直流電圧あるいは内蔵電池の電圧によりチューナ回路が動作し、このチューナ回路からのオーディオ信号がプレーヤからのオーディオ信号に代わってヘッドホンに供給される。
【００２５】
【発明の実施の形態】
今、リモコン操作部４について考えると、このリモコン操作部４は、図４にも示すように、とうぜんのことながらプレーヤ１とは別体であり、プレーヤ１から離れて使用される。また、図５のリモコン操作部４には、ＬＣＤ４３が設けられ、プレーヤ１の動作モードなどが表示されるようになっているが、ＬＣＤ４３は必須ではなく、ＬＣＤなどの表示素子を持たないリモコン操作部も存在する。
【００２６】
この発明は、これらの点に着目し、リモコン操作部にチューナ回路を内蔵させて放送の受信および聴取をできるようにするとともに、そのリモコン操作部が単体でもラジオ受信機として使用できるようにしたものである。
【００２７】
すなわち、図３は、この発明によるリモコン操作部６の使用状態の一例を示すもので、図３Ａは、リモコン操作部６を、プレーヤ１と組み合わせて使用している場合、図３Ｂは、リモコン操作部６を単体で使用している場合である。なお、これらの使用状態の詳細については、後述する。
【００２８】
図１は、この発明によるリモコン操作部６の一形態を示し、これは、入出力ジャック６４と、出力ジャック６５とを有する。この場合、入出力ジャック６４は、プレーヤ１からのオーディオ信号を受けるとともに、プレーヤ１をリモコンする信号を出力するためのものである。このため、ジャック６４は、６接点とされ、左および右チャンネルのオーディオ接点Ａ、Ｂ、オーディオ用の共通接点Ｃ、直流電圧の入力用接点Ｄ、リモコン用接点Ｅ、接地接点Ｇを有する。また、出力ジャック６５は、ヘッドホン３のプラグ３５が差し込まれるものであり、このため、プラグ３５の接点Ａ〜Ｃがそれぞれ接続される接点Ａ〜Ｃを有する。
【００２９】
そして、ジャック６４の接点Ａ、Ｂが、音量調整用の可変抵抗器６１Ｌ、６１Ｒを通じてジャック６５の接点Ａ、Ｂに接続されるとともに、ジャック６４の接点Ｃがジャック６５の接点Ｃに接続される。
【００３０】
また、ヘッドホン３のコード３６をＦＭ受信用のアンテナとして使用するので、可変抵抗器６１Ｌ、６１Ｒと、ジャック６５の接点Ａ、Ｂとの間の信号ラインに、高周波阻止用の素子としてフェライトビーズ６２Ｌ、６２Ｒが設けられるとともに、ジャック６４の接点Ｃとジャック６５の接点Ｃとの間の信号ラインに、フェライトビーズ６２Ｃが設けられる。なお、フェライトビーズ６２Ｌ〜６２Ｃは、受信感度を考慮して、ジャック６５の接点Ａ〜Ｃに近接した部分に設けられる。
【００３１】
さらに、リモコン操作部６には、チューナ回路６３が設けられる。このチューナ回路６３は、例えばＡＭ放送およびＦＭ放送を受信するものであり、図示はしないが、この例においては、受信バンドの切り換えをスライドスイッチにより行い、同調をいわゆるバリコン（可変コンデンサ）により行うようにされている。そして、チューナ回路６３からは、左および右チャンネルのオーディオ信号Ｌ、Ｒを出力できるようにされている。なお、このような規格ないし仕様のチューナ回路６３は、１チップＩＣ化されてラジオ受信機などに使用されている。
【００３２】
そして、ジャック６５の接点Ｃが、コンデンサＣ61を通じてチューナ回路６３のＦＭアンテナ入力回路（図示せず）に接続され、チューナ回路６３のオーディオ出力端が、コンデンサＣ62、Ｃ63を通じて可変抵抗器６１Ｌ、６１Ｒの信号入力側に接続されるとともに、チューナ回路６３の接地ラインが、コンデンサＣ64を通じてジャック６４、６５の接点Ｃに接続される。
【００３３】
さらに、ジャック６４の接点Ｄが、逆流防止用のダイオードＤ61を通じてチューナ回路６３の電源ラインに接続され、ジャック６４の接点Ｇが、ラジオ用の電源スイッチ６６を通じてチューナ回路６３の接地ラインに接続され、チューナ回路６３の電源ラインと接地ラインとの間にデカップリング用（平滑用）のコンデンサＣ65が接続される。
【００３４】
また、直流電源として、例えば１本の単４の電池６７設けられ、その一方の出力電極が、スイッチ用のトランジスタＱ61のエミッタ・コレクタ間を通じてチューナ回路６３の電源ラインに接続され、他方の電極がジャック６４の接点に接続される。さらに、ジャック６４の接点Ｄが逆流防止用のダイオードＤ62を通じてトランジスタＱ61のベースに接続されるとともに、このベースとスイッチ６６の出力側との間に、抵抗器Ｒ64が接続される。
【００３５】
さらに、ジャック６４の接点Ｅと接点Ｇとの間に、抵抗器Ｒ61〜Ｒ63と、リモコン操作用の停止キーＫST、再生キーＫPB、早送りキーＫFF、巻き戻しキーＫRWとが、ラダー接続される。また、ジャック６４の接点Ｅと、スイッチ６６の出力側との間に、スイッチ用のトランジスタＱ62のコレクタ・エミッタ間が接続され、そのベースが抵抗器Ｒ65を通じてトランジスタＱ61のコレクタに接続される。なお、操作キーＫST〜ＫRWは、ノンロックタイプの常開のプッシュスイッチにより構成される。
【００３６】
また、例えば図２に示すような接続コード５が用意される。この接続コード５は、プレーヤ１とリモコン操作部６とを接続するためのものであり、このため、コード５６およびプラグ５５、５４を有する。そして、プラグ５５は、プレーヤ１のジャック１５に差し込まれたとき、ジャック１５の接点Ａ〜Ｅ、Ｇに接続される接点Ａ〜Ｅ、Ｇを有し、プラグ５４は、リモコン操作部６のジャック６４に差し込まれたとき、ジャック６４の接点Ａ〜Ｅ、Ｇに接続される接点Ａ〜Ｅ、Ｇを有する。そして、プラグ５５の接点Ａ〜Ｅ、Ｇは、コード５６を通じてプラグ５４の接点Ａ〜Ｅ、Ｇに接続される。
【００３７】
このような構成において、プレーヤ１をリモコン操作により使用する場合には、図３Ａに示すように、接続コード５のプラグ５５をプレーヤ１のジャック１５に差し込み、プラグ５４をリモコン操作部６のジャック６４に差し込むとともに、ヘッドホン３のプラグ３５をリモコン操作部６のジャック６５に差し込む。また、電源スイッチ６６はオフにしておく。
【００３８】
すると、リモコン操作部６のジャック６４の接点Ｅ、Ｇは接続コード５を通じてプレーヤ１のジャック１５の接点Ｅ、Ｇに接続されることになる。そして、操作キーＫST〜ＫRWのどれも押していないときには、これらはオフなので、ジャック１５の接点Ｅの電圧ＶRMは、抵抗器Ｒ21によりプルアップされて電圧ＶDCである。また、停止キーＫSTを押したときには、ジャック１５の接点Ｅは、停止キーＫSTを通じて接点Ｇ、すなわち、接地に接続されるので、電圧ＶRMは０となる。さらに、操作キーＫPB、ＫFF、ＫRWのどれかを押したときには、電圧ＶDCが、抵抗器Ｒ21と、抵抗器Ｒ61〜Ｒ63のうちの押されたキーに対応する１つあるいは複数の抵抗器とにより分圧され、その分圧電圧が、電圧ＶRMとなる。
【００３９】
そして、電圧ＶRMがマイクロコンピュータ２２のアナログ入力ポートA/D に供給され、その電圧ＶRMから、キーＫST〜ＫRWが押されたかどうか、押されたとすれば、どの操作キーであるかが判別され、その判別結果にしたがってプレーヤ１の動作モードが、操作キー２３を操作した場合と同様に制御される。したがって、リモコン操作部６により、プレーヤ１をリモコンすることができる。
【００４０】
そして、再生時には、アンプ１４Ｌ、１４Ｒからのオーディオ信号Ｌ、Ｒが、ヘッドホンジャック１５の接点Ａ、Ｂ（およびＣ）→接続コード５→ジャック６４の接点Ａ、Ｂ（およびＣ）→可変抵抗器６１Ｌ、６１Ｒ→ジャック６５の接点Ａ、Ｂ（およびＣ）→プラグ３５の接点Ａ、Ｂ（およびＣ）→ヘッドホンコード３６の信号ラインを通じて音響ユニット３Ｌ、３Ｒに供給される。したがって、プレーヤ１で再生されたオーディオ信号Ｌ、Ｒの再生音を、ヘッドホン３により聴くことができる。
【００４１】
つまり、リモコン操作部６は、図５におけるリモコン操作部４と同様に使用することができ、プレーヤ１をリモコンすることができるとともに、プレーヤ１において再生されたオーディオ信号Ｌ、Ｒの再生音をヘッドホン３により聴くことができる。
【００４２】
また、図３Ａに示すように、プレーヤ１にリモコン操作部６およびヘッドホン３が接続されている状態では、プレーヤ１のジャック１５の接点Ｄ（およびＧ）の電圧ＶDCが、接続コード５を通じてリモコン操作部６のジャック６４の接点Ｄ（およびＧ）に供給されている。
【００４３】
そこで、電源スイッチ６６をオンにすると、ジャック６４の接点Ｄ（およびＧ）の電圧ＶDCが、接点Ｄ→ダイオードＤ61→抵抗器Ｒ65→トランジスタＱ62のベース→そのエミッタ→スイッチ６６→接点Ｇのラインを通じてトランジスタＱ62のベースに供給されるので、トランジスタＱ62はオンとなる。そして、トランジスタＱ62がオンであれば、これは、停止キーＫSTを押してオンにしたのと等価であるから、プレーヤ１は、スイッチ６６をオンにするまでの動作モードにかかわらず、停止モードになる。
【００４４】
さらに、このとき、ジャック６４の接点Ｄ（およびＧ）の電圧ＶDCが、接点Ｄ→ダイオードＤ61→チューナ回路６３の電源ライン→その接地ライン→スイッチ６６→接点Ｇのラインを通じてチューナ回路６３にその動作電圧として供給される。そして、ＦＭ放送の受信時であれば、ヘッドホン３のコード３６によりＦＭ放送波が受信され、その受信信号が、プラグ３５の接点Ｃ→ジャック６５の接点Ｃ→コンデンサＣ61の信号ラインを通じてチューナ回路６３に供給される。
【００４５】
したがって、チューナ回路６３において放送の受信が行われ、放送のオーディオ信号Ｌ、Ｒがチューナ回路６３から取り出される。そして、この信号Ｌ、Ｒが、コンデンサＣ62、Ｃ63（およびＣ64）→可変抵抗器６１Ｌ、６１Ｒの信号ラインを通じてジャック６５の接点Ａ、Ｂ（およびＣ）に出力されるので、その放送をヘッドホン３により聴くことができる。
【００４６】
なお、このとき、ジャック６４の接点Ｄの電圧ＶDCが、ダイオードＤ62を通じてトランジスタＱ61のベースに供給されるとともに、例えばＶDC＝３Ｖであり、電池６７の電圧は1.5 Ｖなので、スイッチ６６がオンであっても、トランジスタＱ61は逆バイアスされてオフであり、電池６７は消費されない。
【００４７】
こうして、スイッチ６６をオンにすると、チューナ回路６３が給電され、チューナ回路６３の受信した放送をヘッドホン３により聴くことができる。そして、そのとき、音量は可変抵抗器６１Ｌ、６１Ｒにより調整することができる。また、プレーヤ１は停止モードであるとともに、トランジスタＱ61もオフなので、放送の受信に関係しない電流は無駄に消費されない。
【００４８】
したがって、図３Ａに示すように、プレーヤ１にリモコン操作部６およびヘッドホン３を接続している場合には、このプレーヤ１およびリモコン操作部６は、チューナ回路を内蔵した一般のヘッドホンステレオと同様にテープの再生や放送の受信を行うことができる。
【００４９】
一方、リモコン操作部６は、単体の場合、ＦＭ・ＡＭ受信機として使用することができる。すなわち、その場合には、例えば図３Ｂに示すように、リモコン操作部６のジャック６５にヘッドホン３のプラグ３５を接続し、ジャック６４には、何も接続しない。
【００５０】
そして、スイッチ６６をオンにすると、電池６７の電圧が、スイッチ６６および抵抗器Ｒ64を通じてトランジスタＱ61のベース・エミッタ間に供給されるので、トランジスタＱ61はオンとなる。したがって、電池６７の電圧が、トランジスタＱ61およびスイッチ６６を通じてチューナ回路６３にその動作電圧として供給されるので、チューナ回路６３において放送の受信が行われ、これをヘッドホン３により聴くことができる。
【００５１】
以上のように、図１のリモコン操作部６によれば、これをプレーヤ１に接続した場合には、プレーヤ１をリモコンできるとともに、プレーヤ１にチューナ回路が内蔵されていなくても、放送を受信して聴くことができる。そして、その場合、特に上述のリモコン操作部６によれば、ＡＭ放送を受信するためのバーアンテナが、プレーヤ１のメカシャーシやケースに近接することがないので、ＡＭの受信感度の低下することがない。
【００５２】
さらに、プレーヤ１のマイクロコンピュータ２２、電源回路２５、ＬＣＤ２４をダイナミックドライブするための回路などにおいて高周波成分を生じても、チューナ回路６３はリモコン操作部６に設けられているので、その高調波成分がバーアンテナに飛び込むことがなく、したがって、ノイズにより受信品位の低下することがない。
【００５３】
また、ヘッドホンコード３６の長さをＦＭ波の波長に合わせることが可能なので、ＦＭの受信感度を上げることができる。さらに、チューナ回路６３をジャック６５に近接して配置することができるので、ヘッドホンコード３６の受信したＦＭ信号の減衰を抑えることができ、ＦＭの受信感度の低下を防止することができる。
【００５４】
さらに、プレーヤ１にチューナ回路６３を内蔵させる必要がないので、プレーヤ１が大型化することがない。また、汎用性があり、図５のリモコン操作部４を使用できるプレーヤであれば、機種を問わずにリモコン操作部６を使用することができる。例えば放送を聴きたいユーザだけがリモコン操作部６を別個に購入するようにもできる。
【００５５】
しかも、リモコン操作部６だけを単体のＦＭ・ＡＭ受信機として使用することもできるとともに、そのとき、一般の小型ラジオと同程度に小型であり、軽量である。
【００５６】
なお、上述においは、プレーヤ１がカセットテープを再生する場合であるが、ＣＤやＭＤなどを再生するプレーヤあるいは記録再生装置であってもよい。また、リモコン操作部６および接続コード５に、ジャック６４およびプラグ５４を設けないで、コード５６を操作部６の対応部分に直接接続することもできる。同様に、リモコン操作部６およびヘッドホン３に、ジャック６５およびプラグ３５を設けないで、コード３６を操作部６の対応部分に直接接続することもできる。
【００５７】
【発明の効果】
この発明によれば、ＡＭの受信感度の低下することがない。また、ＦＭの受信感度の低下を防止することができる。さらに、プレーヤが大型化することがない。また、汎用性が高い。しかも、単体で受信機として使用することもできるとともに、そのとき、一般の小型ラジオと同程度に小型である。
【図面の簡単な説明】
【図１】この発明の一形態を示す接続図である。
【図２】この発明を説明するための接続図である。
【図３】この発明を説明するための図である。
【図４】この発明を説明するための接続図である。
【図５】この発明を説明するための接続図である。
【符号の説明】
１＝カセットプレーヤ、２＝磁気テープ、３＝ヘッドホン、３Ｌおよび３Ｒ＝音響ユニット、６＝リモコン操作部、１０＝再生回路、１５＝ヘッドホンジャック、２１＝テープ走行機構、２２＝マイクロコンピュータ、２３＝操作キー、２４＝ＬＣＤ、３５＝プラグ、６３＝チューナ回路、６４および６５＝ジャック、６６＝電源スイッチ、６７＝電池、ＫST〜ＫRW＝操作キー
【図１】
0003915856.tif 000002
【図２】
0003915856.tif 000003
【図３】
0003915856.tif 000004
【図４】
0003915856.tif 000005
【図５】
0003915856.tif 000006